(57)【要約】  プリントコーティングの脱彩度のためのシステムと方法が開示されている。本発明の１実施例はプリンタの出力をコントロールする方法とシステムに関する。コンテンツが、位置コード化パターンを備えたプリント面にプリントされるようにプリンタに送られると、パターンは一般的にコンテンツ用の材料とは異なる材料でプリントされる。例えば、一般的にコンテンツはＣＭＹＫ色スペクトルで送られる。Ｋ値またはブラック値はＣＭＹ値に翻訳され、Ｋ値またはブラック値はゼロになる。システムと方法はコンテンツのＣ値、Ｍ値およびＹ値を変更し、Ｋ色をコンテンツのプリントに確実に使用させない。調整された出力がプリンタに送られる。【選択図】図２
2010514378.tif 000002
【特許請求の範囲】
【請求項１】
コンテンツを、自身とは異なる材料でプリントされたパターンを有したプリント面上にプリントするのに使用される材料をコントロールし、デジタル式知覚装置によって読取可能とする方法であって、
ＣＭＹＫ色空間内のＫ値を残るＣ値、Ｍ値およびＹ値に翻訳し、該Ｋ値をゼロにするステップと、
スケールファクターによって各カラー帯域を設定色強度以下に調整するステップと、
調整されたコンテンツをプリントするステップと、
を含んでいることを特徴とする方法。
【請求項２】
ブラックインクは出力のコンテンツのプリントには使用しないことを特徴とする請求項１記載の方法。
【請求項３】
ブラックインクは赤外線吸収インクであることを特徴とする請求項２記載の方法。
【請求項４】
コンテンツはＣＭＹ色でプリントされることを特徴とする請求項１記載の方法。
【請求項５】
調整された色と位置コード化パターンとをプリンタでプリントするステップをさらに含んでいることを特徴とする請求項１記載の方法。
【請求項６】
コンテンツはポストスクリプトファイルで操作されることを特徴とする請求項１記載の方法。
【請求項７】
プリンタからブラック色の出力を減少させるために利用されるコンピュータ実行可能インストラクションを有したコンピュータ化された読取可能手段であって、
プリントのためのコンテンツ出力を受領し、
該コンテンツ出力内の各色出力を色出力限界以下に低下させ、
調整された色をプリンタに出力し、
該調整された色と位置コード化パターンとをプリンタでプリントする、
ことを特徴とする手段。
【請求項８】
ブラックインクはプリント出力には使用しないことを特徴とする請求項７記載の手段。
【請求項９】
ブラックインクは赤外線吸収インクであることを特徴とする請求項８記載の手段。
【請求項１０】
コンテンツはＣＭＹＫ色でプリントされることを特徴とする請求項７記載の手段。
【請求項１１】
調整された色と位置コード化パターンとをプリンタでプリントすることをさらに含むことを特徴とする請求項７記載の手段。
【請求項１２】
コンテンツはポストスクリプトファイルで操作されることを特徴とする請求項７記載の手段。
【請求項１３】
プリント脱彩度のためのシステムであって、
ディスプレーと、ディスプレーおよびプリンタとデータ通信するプロセッサとを含み、該プロセッサは、ＣＭＹＫ色空間のＫ値を残りのＣＭＹ値に翻訳し、該Ｋ値をゼロにセットするように構成されている第１部品と、スケールファクターによって設定色強度以下に各カラー帯域を調整するように構成されている第２部品と、コンテンツ出力をプリントするように構成されている第３部品とを含んでいることを特徴とするシステム。
【請求項１４】
ブラックインクは出力ないのコンテンツをプリントするのには使用されないことを特徴とする請求項１３記載のシステム。
【請求項１５】
ブラックインクは赤外線吸収インクであることを特徴とする請求項１４記載のシステム。
【請求項１６】
コンテンツはＣＭＹ色でプリントされることを特徴とする請求項１３記載のシステム。
【請求項１７】
コンテンツはポストスクリプトファイルで操作されることを特徴とする請求項１３記載のシステム。
【請求項１８】
コンテンツを、自身とは異なる材料でプリントされたパターンを有したプリント面上にプリントするのに使用される材料をコントロールし、デジタル式知覚装置によって読取可能とする方法であって、
デジタル式知覚装置で読取可能な位置コード化パターンを有したプリント面にプリントされるコンテンツを受領するステップであって、該位置コード化パターンは前記コンテンツに使用される材料とは異なる材料でプリントされることを特徴とするステップと、
前記コンテンツのカラー帯域を選択的にコントロールし、該コンテンツを前記位置コード化パターンに使用される材料とは異なる材料で確実にプリントさせるステップと、
前記位置コード化パターンを備えたプリント面上に前記コンテンツをプリントするステップと、
を含んでいることを特徴とする方法。
【請求項１９】
コンテンツはＣＭＹＫ色でプリントされることを特徴とする請求項１８記載の方法。
【請求項２０】
位置コード化パターンはブラックインクでプリントされることを特徴とする請求項１８記載の方法。
【発明の詳細な説明】
【技術分野】
【０００１】
本発明はプリンタの出力をコントロールする方法とシステムに関する。
【背景技術】
【０００２】
優先権主張：本願は２００６年１２月１８日出願の米国仮特許願６０／８７０６０１の優先権を主張する。
【０００３】
今日、市場では様々なタイプのプリンタとプリントサービスが存在する。それらプリンタの全てはプリント媒体上にコンテンツをどのようにプリントするかのインストラクションをプリンタに提供するハードウェアおよびソフトウェアによってコントロールされている。これらインストラクションは一般的にプリンタ言語セットと称される。プリンタ言語セットの例にはＡｄｏｂｅ  ＰｏｓｔＳｃｒｉｐｔとプリンターコントロール言語が含まれる。これらのインストラクションセットはいずれも使用されているプリンタの特徴を引出し、どのブランドのプリンタであろうとコントロールする。
【０００４】
プリント媒体上に色彩をプリントするにはプリンタはＲＧＢまたはＣＭＹＫのごとき自由な色空間にて自由に色モデルを使用できる。現在、利用可能なプリンタは４色工程または４色刷りと称されるプリント方法に基づいて全色範囲を使用する。４色工程はインクの主要３原色であるシアン（Ｃ）、マゼンタ（Ｍ）およびイエロー（Ｙ）並び色調色または基調色（Ｋ）を使用する（ＣＭＹＫ）。４色工程プリントでは基調色（Ｋ）は一般的に黒である。シアン、マゼンタおよびイエローは色再生に利用されるインクの３原色顔料である。これら３色がプリント時に組み合わされると相当に良質なオリジナル色の再生が得られはずであるが、実際には必ずしもそうはならない。インク顔料の限定要因によって暗色は不鮮明な色調となる。この問題を解消するためにブラック置換と称される技術が利用される。ブラック置換の１方法は高彩度ＣＭＹ値を基調色で置換することである。例えば一部のプリンタは理論ブラック（完全彩度ＣＭＹ）の２５％の範囲内で色をＫで置換する。これは色質の向上のために実施されるが、ブラックインクが色インクよりも一般的に安価なことも理由である。
【０００５】
ブラック置換は日常のホーム／ホームオフィースプリントには便利であるが、ユーザにとってブラックの詳細すなわち密度が重要となるいくつかの利用形態が存在する。一般的にデジタルペン産業においては、デジタルペンまたは位置コード化パターンに使用されるインク材料とコンテンツのために使用されるインク材料との間の品質相違を認識する能力を有した他の知覚器具を指向性制御するために、デジタルペンはプリント面にプリントされた位置コード化パターンを必要とする。一般的にプリント面は、プリントコーティング、インク噴射またはインク融合が適用可能などのようなプリント可能な媒体でも構わない。例えば、位置コード化パターンは純ブラックインク、赤外線吸収インク、紫外線吸収インクまたは赤外線あるいはデジタルペンの別タイプのセンサにより検出可能なコンテンツ材料とは区別が可能ないかなるインク材料であってもプリント可能である。テキスト、地図、画像あるいは全てのプリント可能な主題、等々であるコンテンツは位置コード化パターン上に配置され、ユーザにドキュメントをデジタルペンでの操作を可能にする。もしコンテンツが位置コード化パターン上に置かれ、コンテンツがブラックインクを使用したら（この場合にはコンテンツとパターンの両方が同一インク材料を使用）、コンテンツは位置コード化パターンと混同し、デジタルペン自身をプリント面上で有効に位置決めさせることができない。
【発明の開示】
【発明が解決しようとする課題】
【０００６】
よって本発明の目的は、上記の問題を解決するプリントコーティング脱彩度システム及び方法を提供することである。
【課題を解決するための手段】
【０００７】
本発明はプリンタの出力をコントロールする方法とシステムに関する。前述したように、位置コード化パターンを備えたプリント面にプリントされるべくコンテンツがプリンタに送られると、位置コード化パターンは一般的にコンテンツインク材料とは異なるインク材料でプリントされる。例えば、一般的にコンテンツはＣＭＹＫ色スペクトルで送られる。基調色値またはブラック値はＣＭＹ値に翻訳され、Ｋ値あるいはブラック値はゼロとなる。このシステムと方法はコンテンツのＣ値、Ｍ値およびＹ値を変更し、Ｋ色がコンテンツのプリントに使用されるような変換を起こさせない。調整された出力はプリンタに送られる。
【０００８】
本発明の１特徴によれば、プリンタからのＫ色の出力を減少させるためにコンピュータ実行可能なインストラクションを有したコンピュータ読取可能な媒体にはプリントのための出力コンテンツの受領が含まれる。その後に出力コンテンツの出力色は調整され、非Ｋ色をＫ色とは置換させない。調整された色はプリンタに出力される。
【図面の簡単な説明】
【０００９】
【図１】１実施例によるプリント脱彩度システムの概略図である。
【図２】１実施例によるプリント脱彩度システムを使用した方法を示す。
【図３Ａ】プリント脱彩度のための方法とシステムの例である。
【図３Ｂ】プリント脱彩度のための方法とシステムの例である。
【図３Ｃ】プリント脱彩度のための方法とシステムの例である。
【発明を実施するための形態】
【００１０】
本発明の好適実施例および別実施例は図面を参照に付して以下で詳細に解説されている。
【００１１】
デジタルペンのごときデジタル知覚器具および紙のごときプリントコーティングを受け付けるプリント面を使用するとき、位置コード化パターンは紙上でデジタルペンを指向性コントロールするように利用される。好適には、位置コード化パターンはコンテンツのために使用されるインク材料とは知覚可能に異なるインク材料（インク、顔料、等々）を使用してプリントされるべきである。図形、テキスト、等々（以降“コンテンツ”）は、スキャニングしたり、作図したり、または何らかの方法でドットパターン上にオーバーレイ可能なコンテンツをデジタルペンが“透視”できるように位置コード化パターンのインク材料とは異なる材料を使用してプリントされるべきである。デジタルペンが“オーバーレイされた”コンテンツの境界を越えて移動すると、そのコンテンツが位置コード化パターンと同一のインク材料でプリントされたものか否かを判断するに迷うであろう。例示的に１実施例を解説すれば、一般的にデジタルペンは赤外線を利用して紙上のブラックインク範囲を読み取るように設計されている。よって、ここで解説するシステムと方法は、位置コード化パターンを有したプリント紙上に選択的にオーバーレイコンテンツをプリントし、プリント紙上の位置コード化パターンのインク材料とは明らかに異なるインク材料でコンテンツをプリントさせる。例えば、位置コード化パターンとコンテンツのための異なるインク材料は、透明赤外線インクあるいは紫外線吸収インクと共に彩色及び／又はブラックインクを使用するが、これらに限定されるものではない。
【００１２】
プリント脱彩度のための方法とシステムを以下でさらに詳細に説明する。本発明の１実施例は、出力コンテンツが位置コード化パターンをプリントするのに使用されるインク材料とは異なるインク材料で確実にプリントさせる一連のステップを含む。これら一連のステップは、プリント用に選択された出力コンテンツの出力色彩を調整することでブラックに近い色彩をブラックで置換するプリンターシステムに勝る。例示すれば、コンテンツがプリンタに送られると、プリンタに適正にプリントさせるよう設計されたソフトウェアはその出力を順応させる。この場合、出力コンテンツはＣＭＹＫ色モデルの色特性を有して出力される。このＣＭＹＫ色モデルはプリンタに正しい色を出力させるよう、これらの色強度の組み合わせを利用する。これらの色の強度がブラックに近づくと、典型的なソフトウェアは以下で解説するようにプリンタにブラックをプリントするよう指令する。ここで解説する方法とシステムは純ブラック以外の色でコンテンツをプリントさせる。別実施例ではＲＧＢのごときどのような色空間でも利用できる。
【００１３】
図１はプリント脱彩度のための例示システム１００を示す。１実施例ではシステム１００は複数の他のコンピュータ１０３とプリンタ１０９と通信状態のコンピュータ１０１を含む。別実施例ではコンピュータ１０１は複数のコンピュータ１０３、プリンタ１０９、サーバ１０４、データ保存センター１０６及び／又はイントラネットあるいはインターネットのごときネットワーク１０８と接続している。また、サーバ、無線装置、セルフォン（携帯電話）及び／又は別データ入力装置がコンピュータ１０１の代用として使用できる。１実施例ではポストスクリプトファイルがプリント脱彩度のためのコンピュータ実行可能インストラクションを保存する。ポストスクリプトファイルはデータ保存センタ１０６あるいはコンピュータ１０１で局所的に保存される。別実施例ではプリンタコントロール言語ファイルまたはプリンタインストラクションセットが利用できる。
【００１４】
１実施例ではサーバ１０４またはコンピュータ１０１で運用されるポストスクリプトファイルはプリンタ１０９へ送られるプリント出力を変更する。ポストスクリプト発生コードセットはコンピュータ１０１またはサーバ１０４のプロセッサで運用されるインストラクションを含む。別インストラクションはオンボードポストスクリプトＲＩＰのごときプリンタ１０９に保存できる。好適にはポストスクリプト発生コードはその１実施例において、何をいかに描写するかを担当するポストスクリプトファイルに“適正”値を入力する。このインストラクションは、プリンタ用に指定された選択出力コンテンツをＣＭＹＫ色スペクトル内のカラー帯域内に分割するステップを含む。インストラクションは、Ｋ値をゼロとするようにブラック値をＣＭＹ値に翻訳するステップと、所定の色強度以下のスケールファクタを利用してカラー帯域（ＣＭＹ）を調整するステップとさらに含む。インストラクションは、修正された出力コンテンツをプリンタ１０９に出力するステップをさらに含む。
【００１５】
図２は１実施例におけるプリント脱彩度システムの使用法２００を図示する。ステップ２１０において、プリント可能コンテンツがコンピュータから受領される。そのコンテンツには通常プリンタでのプリントのための処理が施されている。ステップ２２０において、プリント可能コンテンツは必要に応じてＣＭＹＫ色モデルへ適応される。ＣＭＹＫモデルは典型的な４色プリントモデルであり、プリント面にプリントされた各色はＣＭＹＫ色モデルの一部または全部の組み合わせで成る。ステップ２３０では、１例のＫ値またはブラック値はＣＭＹ値に翻訳され、Ｋ値はゼロとなる。例示として、プリントされた各ドットは一部または全部の色で成り、各カラー帯域は調整可能である。Ｋ値は別々に調整されるＣＭＹ値に翻訳される。ステップ２４０においてコンテンツのＣ値、Ｍ値およびＹ値は変更され、コンテンツのプリントにＫ色が使用されるような置換が生じないようにされる。色値の１調整方法には“イメージ”コマンドの単オペランドバージョンを行使することによるポストスクリプトファイルの使用ステップが含まれる。このコマンドはサンプルデコードマトリックスのスペックを実行させる。初期設定によって０．０と１．０（全スペクトル）間の全サンプルをマクロ演算させることができる。あるいは本発明の１実施例では０．０と１．０未満（例：０．８）間でサンプルをマクロ演算させる。ステップ２５０では、調整されたコンテンツがプリンタに出力される。
【００１６】
例示的な１実施例では、デジタルペンシステムで使用するために位置コード化パターンを紙面にプリントするとき、ここで開示されたシステムと方法が使用される。例えば、赤外線吸収インク（例：カーボンベースブラック）を位置コード化パターンの表面にプリントするとき、コンテンツのインクは位置コード化パターンのドットを覆うことができる。よって、位置コード化パターンをデジタルペンの赤外線センサから隠遮する。目的はコンテンツに使用される赤外線吸収インク（例：カーボンブラック）の量を減少させ、デジタルペンに自身を紙面上で位置探知させることである。上述したように、ここで解説するシステムと方法はコンテンツのためのＣＭＹＫ色空間を規制するが、位置コード化パターン（例：位置コード化パターンを含むドット）のための完全ＣＭＹＫ範囲を可能にする。ドットはカーボンブラックインクでプリント可能であるが、コンテンツはシアン、マゼンタ、イエロー及び／又は相対的に少量のブラックの混合色でプリント可能である。その結果、コンテンツのカーボンブラックドットの利用が減少する。よって下側の位置コード化パターンをデジタルペンから遮蔽しない。
【００１７】
図３Ａから図３Ｃはプリント脱彩度のための方法とシステムの例を示す。図３Ａは位置コード化パターンとコンテンツとをプリントした紙面の例を示す。この場合、コンテンツはアメリカ合衆国の地図である。図３Ｂと図３Ｃは、位置コード化パターンを覆うブラックボックスがプリントされた紙面の同一スポットで撮られたテクコンＤＭＳ９１０デジタル顕微鏡の赤外線センサーからの図３Ａの線の分解図である。図３Ｂは本発明の実施例の技術を利用しておらず、同一カーボンベースブラックインクが位置コード化パターンとコンテンツのために使用されている。図３Ｃは本発明の１実施例の技術を利用してプリントされた同一ファイルの出力を示す。出力色空間を規制し、全スペクトルでプリントしないことで、純カーボンベースブラックはコンテンツには与えられない。それはシアン、マゼンタ、イエロー及び／又は少量のカーボンベースブラックの組成物でよい。従って、赤外線センサーはコンテンツの複合ブラックとドットの純ブラックとを区別できる。視覚的に複合ブラックは少々褪せて見える。
【００１８】
別実施例では、位置コード化パターンインク材料とコンテンツインク材料とを確実に異ならせるため、システムと方法はプリントされたコンテンツの画素あたり、色空間の１色を除去し、残りの色を所定の色強度にする。例えば、コンテンツインク材料用にＲＧＢ色空間を使用し、位置コード化パターンインク材料用に純ブラックを使用するなら、全ての３隣接画素内で第１画素はゼロにセットされたＲ値を有し、第２画素は０にセットされたＧ値を有し、第３画素は０にセットされたＢ値を有し、位置コード化パターンは交互水平方向と垂直方向にコンテンツがブラックでプリントされないようにする。なぜなら、ＲＧＢ色組み合わせはブラック置換のための閾値以下だからである。
【００１９】
本発明の好適実施例を解説したが、それらには多くの変更が本発明の範囲内で可能である。従って、本発明のスコープは好適実施例には限定されない。本発明は「請求の範囲」によってのみ限定される。
【図１】
2010514378.tif 000003
【図２】
2010514378.tif 000004
【図３Ａ】
2010514378.tif 000005
【図３Ｂ】
2010514378.tif 000006
【図３Ｃ】
2010514378.tif 000007
【手続補正書】
【提出日】平成21年8月19日(2009.8.19)
【手続補正１】
【補正対象書類名】特許請求の範囲
【補正対象項目名】全文
【補正方法】変更
【補正の内容】
【特許請求の範囲】
【請求項１】
コンテンツを、自身とは異なる材料でプリントされたパターンを有したプリント面上にプリントするのに使用される材料をコントロールし、デジタル式知覚装置によって読取可能とする方法であって、
ＣＭＹＫ色空間内のＫ値を残るＣ値、Ｍ値およびＹ値に翻訳し、該Ｋ値をゼロにするステップと、
スケールファクターによって各カラー帯域を設定色強度以下に調整するステップと、
調整されたコンテンツをプリントするステップと、
を含んでいることを特徴とする方法。
【請求項２】
プリント脱彩度のためのシステムであって、
ディスプレーと、ディスプレーおよびプリンタとデータ通信するプロセッサとを含み、該プロセッサは、ＣＭＹＫ色空間のＫ値を残りのＣＭＹ値に翻訳し、該Ｋ値をゼロにセットするように構成されている第１部品と、スケールファクターによって設定色強度以下に各カラー帯域を調整するように構成されている第２部品と、コンテンツ出力をプリントするように構成されている第３部品とを含んでいることを特徴とするシステム。
【請求項３】
コンテンツを、自身とは異なる材料でプリントされたパターンを有したプリント面上にプリントするのに使用される材料をコントロールし、デジタル式知覚装置によって読取可能とする方法であって、
デジタル式知覚装置で読取可能な位置コード化パターンを有したプリント面にプリントされるコンテンツを受領するステップであって、該位置コード化パターンは前記コンテンツに使用される材料とは異なる材料でプリントされることを特徴とするステップと、
前記コンテンツのカラー帯域を選択的にコントロールし、該コンテンツを前記位置コード化パターンに使用される材料とは異なる材料で確実にプリントさせるステップと、
前記位置コード化パターンを備えたプリント面上に前記コンテンツをプリントするステップと、
を含んでいることを特徴とする方法。
【国際調査報告】
2010514378.tif 000008